(57)【要約】【課題】撮像装置本体の傾きと同時に傾き方向を同時に表示することにより、操作者に撮像装置本体の傾き方向を確実に報知することができる撮像装置を提供する。【解決手段】画像を撮像するための撮像装置であって、撮影画像を光学的に確認するための光学ファインダと、撮影画像および再生画像を確認するための画像表示部と、撮像装置本体の姿勢傾きを検出するための傾斜センサと、前記撮像装置本体の傾斜の有無と傾斜方向を示すための発光部と、前記傾斜センサからの信号に基づき、前記撮像装置本体の傾斜の有無と傾斜方向を示すように前記発光部の光るパターン又は光る色を制御する制御部と、を有する構成となっている。【選択図】図２
2009071691.tif 000002
【特許請求の範囲】
【請求項１】
画像を撮像するための撮像装置であって、
撮影画像を光学的に確認するための光学ファインダと、
撮影画像および再生画像を確認するための画像表示部と、
撮像装置本体の姿勢傾きを検出するための傾斜センサと、
前記撮像装置本体の傾斜の有無と傾斜方向を示すための発光部と、
前記傾斜センサからの信号に基づき、前記撮像装置本体の傾斜の有無と傾斜方向を示すように前記発光部の光るパターン又は光る色を制御する制御部と、を有することを特徴とする撮像装置。
【請求項２】
前記発光部がＬＥＤにより構成されていることを特徴とする請求項１に記載の撮像装置。
【請求項３】
前記発光部が前記光学ファインダのファインダ接眼窓の近傍に配置されていることを特徴とする請求項１に記載の撮像装置。
【請求項４】
前記発光部が前記ファインダ接眼窓と前記画像表示部との間に配置されていることを特徴とする請求項３に記載の撮像装置。
【請求項５】
前記発光部が横並びの２個配置となっており、前記撮像装置本体が右上がり方向に傾いたときに右側の発光部が点灯又は点滅し、前記撮像装置本体が左上がり方向に傾いたときに左側の発光部が点灯又は点滅し、前記撮像装置本体がある規定値の傾き以下の状態になった時には同時に２個の発光部が点灯することを特徴とする請求項１から４のいずれかに記載の撮像装置。
【請求項６】
前記発光部が横並びの３個配置となっており、前記撮像装置カメラ本体が右上がり方向に傾いたときに右側の発光部が点灯又は点滅し、前記撮像装置本体が左上がり方向に傾いたときに左側の発光部が点灯又は点滅し、前記撮像装置本体がある規定値の傾き以下の状態になった時には中央の発光部が点灯することを特徴とする請求項１から４のいずれかに記載の撮像装置。
【請求項７】
前記発光部が前記画像表示部の３ヵ所の角部に３個配置となっていることを特徴とする請求項１、２のいずれかに記載の撮像装置。
【請求項８】
前記発光部が前記画像表示部の下面の左右の角部に２個配置となっており、前記画像表示部の上面の左右のどちらか側に１個配置となっていることを特徴とする請求項７に記載の撮像装置。
【請求項９】
前記発光部が前記画像表示部の１ヵ所の角部に略４５度の斜めに２個配置となっていることを特徴とする請求項１、２のいずれかに記載の撮像装置。
【請求項１０】
前記発光部と発光部との間に、前記撮像装置本体が水平状態であることを操作者に知らせるための発光部がさらに配置されていることを特徴とする請求項９に記載の撮像装置。
【発明の詳細な説明】
【技術分野】
【０００１】
本発明は、デジタルカメラ等の撮像装置に関し、特に、カメラ本体の傾きと同時に傾き方向を同時に表示することにより、操作者にカメラ本体の傾き方向を確実に報知することができるデジタルカメラに関する。
【背景技術】
【０００２】
一般に、現在のデジタルカメラにおいては、操作者に対してカメラ本体の傾きの有無を表示して知らせる機能が付加されたものが知られている。
なお、従来技術としては、なお、特許文献１として、水平補助線などの傾き情報を表示するＬＣＤパネルが消灯されている場合において、ＬＥＤ等の発光部の発光態様を撮像装置の傾きに応じて変更し、合焦確認用発光ＬＥＤを傾き告知用のＬＥＤとして兼用する構成とし、合焦処理中、合焦処理の成否と、カメラの傾きの有無、これらの各状態に応じて、合焦確認用発光ＬＥＤを異なる発光態様で発光させる制御を行う技術が開示され、特許文献２として、カメラ本体の背面に、画像表示液晶パネルを設け、画像表示液晶パネルには、撮影レンズとＣＣＤを介して得られた動画あるいは静止画が表示され、画像表示液晶パネルの周辺には４つのカメラ姿勢表示部を設け、傾斜センサはカメラ本体の姿勢が正位置、右下位置、上下反転位置、あるいは左下位置のいずれであるかを検出し、傾斜センサの検出結果に応じて、カメラ姿勢表示部のうちの、鉛直下方に位置するものが点灯する技術が開示されている。
【特許文献１】特開２００６−２８７７６８公報
【特許文献２】特開２００３−６０９４０公報
【発明の開示】
【発明が解決しようとする課題】
【０００３】
しかしながら、上記従来技術（特許文献１）に関しては、カメラの傾きを検出して傾きが有ることを表示するようにしているが、これではカメラがどの方向に傾いているかを表示する方法がなく、よって、操作者は左右にやみくもに傾かせて、傾きがない状態表示を作り出す必要があり、非常に操作性の悪いものとなっていた。すなわち、従来技術のカメラにおいては、画面の傾きを表示する為の表示装置で発光部が発光する事により、操作者にカメラ本体の傾きの有無を表示して知らせるものしかなかった。
また、現在カメラのアクセサリーとして、気泡を動作原理とした水準器が販売されており、カメラを撮影する時に業務用又はハイアマチュア用としての需要があり、その使用用途しては撮影画像を水平線に正しく合わせて撮るなどの用途に使われている。
しかしながら、その方法はカメラ外部に大きなアクセサリーを装着しなければならず非常にデメリットが大きいものであった。また、アクセサリーをアクセサリーシュに取り付けるために、取り付けの為に発生する傾き誤差が原理的に発生して、正しく水平状態で撮影したと思っても傾いた撮影画像になる場合が起こり得た。
本発明は、上記従来の問題点を解決するためになされたもので、その目的は、撮像装置本体の傾きと同時に傾き方向を同時に表示することにより、操作者に撮像装置本体の傾き方向を確実に報知することができる撮像装置を提供することである。
【課題を解決するための手段】
【０００４】
上述の目的を達成するために、請求項１記載の発明は、画像を撮像するための撮像装置であって、撮影画像を光学的に確認するための光学ファインダと、撮影画像および再生画像を確認するための画像表示部と、撮像装置本体の姿勢傾きを検出するための傾斜センサと、前記撮像装置本体の傾斜の有無と傾斜方向を示すための発光部と、前記傾斜センサからの信号に基づき、前記撮像装置本体の傾斜の有無と傾斜方向を示すように前記発光部の光るパターン又は光る色を制御する制御部と、を有することを特徴とする。
また、請求項２記載の発明は、前記発光部がＬＥＤにより構成されていることを特徴とする。
また、請求項３記載の発明は、前記発光部が前記光学ファインダのファインダ接眼窓の近傍に配置されていることを特徴とする。
また、請求項４記載の発明は、前記発光部が前記ファインダ接眼窓と前記画像表示部との間に配置されていることを特徴とする。
【０００５】
また、請求項５記載の発明は、前記発光部が横並びの２個配置となっており、前記撮像装置本体が右上がり方向に傾いたときに右側の発光部が点灯又は点滅し、前記撮像装置本体が左上がり方向に傾いたときに左側の発光部が点灯又は点滅し、前記撮像装置本体がある規定値の傾き以下の状態になった時には同時に２個の発光部が点灯することを特徴とする。
また、請求項６記載の発明は、前記発光部が横並びの３個配置となっており、前記撮像装置カメラ本体が右上がり方向に傾いたときに右側の発光部が点灯又は点滅し、前記撮像装置本体が左上がり方向に傾いたときに左側の発光部が点灯又は点滅し、前記撮像装置本体がある規定値の傾き以下の状態になった時には中央の発光部が点灯することを特徴とする。
【０００６】
また、請求項７記載の発明は、前記発光部が前記画像表示部の３ヵ所の角部に３個配置となっていることを特徴とする。
また、請求項８記載の発明は、前記発光部が前記画像表示部の下面の左右の角部に２個配置となっており、前記画像表示部の上面の左右のどちらか側に１個配置となっていることを特徴とする。
また、請求項９記載の発明は、前記発光部が前記画像表示部の１ヵ所の角部に略４５度の斜めに２個配置となっていることを特徴とする。
また、請求項１０記載の発明は、前記発光部と発光部との間に、前記撮像装置本体が水平状態であることを操作者に知らせるための発光部がさらに配置されていることを特徴とする。
【発明の効果】
【０００７】
本発明によれば、カメラ本体の傾きと同時に傾き方向を同時に表示することにより、操作者はカメラ本体がどちら方向に傾いているのがわかるので、その情報に基づき簡単に傾き修正を行なうことができる。
また、本発明によれば、発光部がＬＥＤにより構成されているので、消費電流を増大させることなく、操作者に容易にわかる表示を達成できる。
また、本発明によれば、ファインダ接眼窓を使用している場合にもカメラ本体の傾きを操作者に簡単に伝えることができる。
また、本発明によれば、少ない数の発光部で操作者にカメラ本体の傾き方向を確実に報知することができる。
【発明を実施するための最良の形態】
【０００８】
以下に添付の図を参照してこの発明の実施形態を詳細に説明する。
図１は、本発明による撮像装置（カメラ）の第１実施形態を前から見た斜視図であり、図２は、本発明による撮像装置（カメラ）の第１実施形態を後ろから見た斜視図である。
図１に示すように、カメラ本体１の前面には、撮影画像を取り込む為のレンズ部２および撮影画像を光学的に確認する為のファインダ窓４が設けられ、カメラのアクセサリーを取り付ける為のアクセサリーシュ３がカメラ上部に配置されている。
また、図２に示すように、カメラ本体１の後面には、撮影画像及び再生画像を確認する為の画像表示部６と、撮影画像を光学的に確認する為のファインダ接眼窓５とが設けられ、そのファインダ接眼窓５と画像表示部６との間における画像表示部６の近傍に、カメラ本体１の傾斜の有無と傾斜方向を示すための右発光部７と左発光部８とが配置されている。
【０００９】
ここで、ファインダ接眼窓５を見ながら操作者が傾きを一番に認識し易いのはファインダ接眼窓５の上面か下面に配置して左右の表示にすることである。ここでは、ファインダ接眼窓５の周辺で、しかも表示部に近い所の間に発光部が位置しているので操作者はファインダ接眼窓５を使用する場合においても、画面表示部を使用する場合においても、対応する事ができる。このことは、カメラの小型化、軽量化、省電力化に効果がある。
また、日中の明るい場合においても操作者に傾きをわかり易く知らせることが必要で、右発光部７と左発光部８を設けることにより日中の明るい場合においても操作者に傾きをわかり易く知らせることができる。
それに対して、従来（特許文献２）では、傾き表示をもったカメラとして、画面表示部の周辺にカメラ姿勢表示部１５ａ〜ｄを持つのと同時に、ファインダ内部にもカメラ姿勢表示部５４をもっているが、この表示部の機能は単にカメラの姿勢状態で画面の下面が４面のうちどの面かを示しているので、ファインダ内部と画面表示部の２ヵ所に傾き表示部が必要となっている。
また、この実施形態では、ファインダ内蔵のカメラについて説明したが、ファインダ内蔵のカメラ以外で、アクセサリーシュ３に後付けする外付けファインダの場合にも全く同様の構成をとり得る。
【００１０】
図３は、図１に示したカメラの主に電気的構成を示すブロック図である。
図３に示すように、このカメラの動作は、マイコンを備えた制御回路３１によって制御され、制御回路３１の制御により、画像表示部６に動画あるいは静止画が表示され、メモリカードＭに静止画が記録される。レンズ部２（図１参照）の後方にはＣＣＤ（撮像素子）３２が設けられており、レンズ部２から取り込まれた光はＣＣＤ３２の受光面に照射され、これにより、ＣＣＤ３２には、レンズ部２によって得られた画像が形成され、この画像に対応した撮像信号が発生する。
また、ＣＣＤ３２は、ＣＣＤ駆動回路３３によって動作し、ＣＣＤ３２から読み出された撮像信号は、相関二重サンプリング回路３４によってリセット雑音を除去され、ＡＤ変換器３５においてデジタルの画像データに変換される。ＡＤ変換器３５とＣＣＤ駆動回路３３の動作は、制御回路３１の制御に基づいてタイミングジェネレータ３６から出力されるパルス信号に従って制御される。
【００１１】
そして、ＡＤ変換器３５よりの画像データは信号処理回路３７において所定の画像処理を施され、フィールドメモリ３８に一時的に格納される。そして、格納された画像データはフィールドメモリ３８から読み出され、ＤＡ変換器３９においてアナログの画像信号に変換される。ここで、フィールドメモリ３８への格納動作およびフィールドメモリ３８からの読出動作は、タイミングジェネレータ３６から出力されるパルス信号に従って、フィールドメモリコントローラ４０によって制御され、ＤＡ変換器３９の動作は、タイミングジェネレータ３６から出力されるパルス信号に基づいて制御される。
そして、ＤＡ変換器３９よりのアナログの画像信号はビデオエンコーダ４１においてビデオフォーマットに変更され、ビデオ端子４２を介して、外部に設けられたモニタ装置（図示せず）に出力される。また画像信号はＬＣＤ駆動回路４３に入力され、ＬＣＤ駆動回路４３が画像信号に従って動作することにより、画像表示部６では動画が表示される。
【００１２】
一方、ＡＤ変換器３５から読み出された画像データは、記録モード時には、バッファメモリ４４に一時的に格納される。バッファメモリ４４への格納動作およびバッファメモリ４４からの読出動作は、タイミングジェネレータ３６から出力されるパルス信号に従って、バッファメモリコントローラ４５によって制御される。
バッファメモリ４４から読み出された画像データは、制御回路３１において圧縮され、圧縮画像デ−タ（静止画）としてメモリカードＭに記録される。メモリカードＭはカード装着部４６に着脱自在に取り付けられる。メモリカードＭへの記録動作およびメモリカードＭからの読出動作は、制御回路３１から出力される指令信号に従って、メモリカードコントローラ４７によって制御される。
メモリカードから読み出された圧縮画像データは、制御回路３１において伸張され、これにより圧縮前の画像データが復元される。伸張された画像データは信号処理回路３７において所定の画像処理を施され、フィールドメモリ３８に一時的に格納される。画像データはフィールドメモリ３８から読み出され、ＤＡ変換器３９においてアナログの画像信号に変換された後、ビデオエンコーダ４１およびビデオ端子４２を介して、モニタ装置に出力される。また画像信号はＬＣＤ駆動回路４３に入力される。すなわち、メモリカードＭに記録された静止画は、モニタ装置あるいは画像表示部６によって表示可能である。
【００１３】
また、画像表示部６の裏側にはバックライト５１が設けられている。バックライト５１は、制御回路３１によって制御されるバックライト駆動回路５２により、点灯あるいは消灯される。
そして、制御回路３１には傾斜センサ５３が接続されている。傾斜センサ５３は従来公知の構成を有し、カメラ本体１の姿勢をどの程度傾斜しているかを検出する。すなわち、傾斜センサ５３は、カメラ本体１の姿勢がどの程度傾いているかを制御回路に出力している。
その傾斜の傾き信号により、ある一定の値を閾値として、カメラが傾いていると判断して右発光部７、左発光部８が点灯あるいは点滅する。すなわち、制御回路３１は、傾斜センサ５３からの信号に基づき、カメラ本体１の傾斜の有無と傾斜方向を示すように発光部の光るパターン又は光る色を制御するようになっている。
【００１４】
また、制御回路３１には、メインスイッチ１２、レリーズ半押しスイッチ１６ａ、レリーズ全押しスイッチ１６ｂ、モードスイッチ２０、アップスイッチ１８、ダウンスイッチ１９、および消去スイッチ２１が接続されている。
レリーズ半押しスイッチ１６ａはレリーズボタン１６を半押しすることによってオン状態になり、レリーズ全押しスイッチ１６ｂはレリーズボタン１６を全押しすることによってオン状態になる。
さらに、制御回路３１には、電源部５５が接続されている。電源部５５はメインスイッチ１２がオン状態のとき、カメラ本体１内の各電気回路に電力を供給する。
【００１５】
次に、図４〜図６を参照して、カメラの傾き報知動作について説明する。
図４は、図１に示したカメラを右側上がり傾き状態において後ろから見た説明図である。
ここでは、カメラ本体１の右側上がり傾いている状態であり、撮影画像は右下がりの画像になっている。この場合に、傾斜センサ５３は、カメラ本体１の姿勢をどの程度右側上がりに傾斜しているかを検出し、カメラ本体１の姿勢がどの程度傾いているかを制御回路３１に出力し、制御回路３１は、その傾斜の傾き信号により、ある一定の値を閾値として、カメラが右側上がりに傾いていると判断して右発光部７を点灯する。
従って、ファインダ接眼窓５と画像表示部６の間にある右発光部７、左発光部８のうち右発光部７だけが発光してカメラが右上がりであることを操作者に警告表示を出す。この時に、操作者が水平状態な撮影画像を撮影したい場合には、傾きの警告に従い、カメラの右側を下に下げて撮影する事になる。
【００１６】
なお、本実施形態以外にも、カメラが傾いている時には右発光部７、左発光部８が赤色に光って、カメラが水平状態になっている場合には右発光部７、左発光部８が緑色に光って操作ＯＫの表示をしても良い。
また、本実施形態及び他の実施形態も含めて、状態表示の発光パターンが逆であっても問題無い。例えば、カメラ本体１の右側上がり傾いている状態であり、撮影画像は右下がりの画像になったときに左発光部８が点灯し、撮影画像は左下がりの画像になったときに右発光部７が点灯するようにしても良い。
【００１７】
図５は、図１に示したカメラを左側上がり傾き状態において後ろから見た説明図である。
ここでは、カメラ本体１の左側上がり傾いている状態であり、撮影画像は左下がりの画像になっている。この場合に、傾斜センサ５３は、カメラ本体１の姿勢をどの程度左側上がりに傾斜しているかを検出し、カメラ本体１の姿勢がどの程度傾いているかを制御回路３１に出力し、制御回路３１は、その傾斜の傾き信号により、ある一定の値を閾値として、カメラが左側上がりに傾いていると判断して左発光部８を点灯する。
従って、ファインダ接眼窓５と画像表示部６の間にある右発光部７、左発光部８のうち左発光部８だけが発光してカメラが左上がりであることを操作者に警告表示を出す。この時に、操作者が水平状態な撮影画像を撮影したい場合には、傾きの警告に従い、カメラの左側を下に下げて撮影する事になる。
【００１８】
図６は、図１に示したカメラを水平状態において後ろから見た説明図である。
ここでは、カメラ本体１が水平状態であり、撮影画像は水平の画像になっている。この場合に、傾斜センサ５３は、カメラ本体１の姿勢をどの程度傾斜しているかを検出し、制御回路３１に出力しているが、制御回路３１は、その傾斜の傾き信号がゼロなので、カメラが水平状態であると判断して右発光部７および左発光部８の両方を点灯する。
従って、ファインダ接眼窓５と画像表示部６の間にある右発光部７、左発光部８の両方が発光してカメラが水平状態であることを操作者に表示する。この時に、操作者が望めば、この状態で水平状態の画像を撮影することができる。
なお、本実施例以外にも、カメラ本体１が水平の状態である時に、右発光部７、左発光部８の両方が消灯したり、発光色が変わる動作にしてもなんら問題はない。
【００１９】
次に、図７〜図９を参照して、図１に示した撮像装置の変形例について説明する。この変形例は、ファインダ接眼窓５と画像表示部６の間における右発光部７と左発光部８との間に、さらにカメラが水平状態であることを操作者に表示するように発光する中央発光部９を設けた構成となっている。
すなわち、図７は、図１に示したカメラの変形例を右側上がり傾き状態において後ろから見た説明図である。
ここでは、カメラ本体１の右側上がり傾いている状態であり、撮影画像は右下がりの画像になっている。この場合に、傾斜センサ５３は、カメラ本体１の姿勢をどの程度右側上がりに傾斜しているかを検出し、カメラ本体１の姿勢がどの程度傾いているかを制御回路３１に出力し、制御回路３１は、その傾斜の傾き信号により、ある一定の値を閾値として、カメラが右側上がりに傾いていると判断して右発光部７を点灯する。
【００２０】
従って、ファインダ接眼窓５と画像表示部６の間にある右発光部７、中央発光部９、左発光部８のうち右発光部７だけが発光してカメラが右上がりであることを操作者に警告表示を出す。この時に、操作者が水平状態な撮影画像を撮影したい場合には、傾きの警告に従い、カメラの右側を下に下げて撮影する事になる。
また、本実施形態及び他の実施形態も含めて、状態表示の発光パターンが逆であっても問題無い。例えば、カメラ本体１の右側上がり傾いている状態であり、撮影画像は右下がりの画像になったときに左発光部８が点灯し、撮影画像は左下がりの画像になったときに右発光部７が点灯するようにしても良い。
【００２１】
図８は、図１に示したカメラの変形例を左側上がり傾き状態において後ろから見た説明図である。
ここでは、カメラ本体１の左側上がり傾いている状態であり、撮影画像は左下がりの画像になっている。この場合に、傾斜センサ５３は、カメラ本体１の姿勢をどの程度左側上がりに傾斜しているかを検出し、カメラ本体１の姿勢がどの程度傾いているかを制御回路３１に出力し、制御回路３１は、その傾斜の傾き信号により、ある一定の値を閾値として、カメラが左側上がりに傾いていると判断して左発光部８を点灯する。
従って、ファインダ接眼窓５と画像表示部６の間にある右発光部７、中央発光部９、左発光部８のうち左発光部８だけが発光してカメラが左上がりであることを操作者に警告表示を出す。この時に、操作者が水平状態な撮影画像を撮影したい場合には、傾きの警告に従い、カメラの左側を下に下げて撮影する事になる。
【００２２】
図９は、図１に示したカメラの変形例を水平状態において後ろから見た説明図である。
ここでは、カメラ本体１が水平状態であり、撮影画像は水平の画像になっている。この場合に、傾斜センサ５３は、カメラ本体１の姿勢をどの程度傾斜しているかを検出し、制御回路３１に出力しているが、制御回路３１は、その傾斜の傾き信号がゼロなので、カメラが水平状態であると判断して中央発光部９を点灯する。
従って、ファインダ接眼窓５と画像表示部６の間にある中央発光部９が発光してカメラが水平状態であることを操作者に表示する。この時に、操作者が望めば、この状態で水平状態の画像を撮影することができる。
なお、本変形例以外にも、カメラ本体１が水平の状態である時に、右発光部７、左発光部８、中央発光部９の全てが消灯したり、発光色が変わる動作にしてもなんら問題はない。
また、本変形例は３個の発光部を使用して、傾きの有無、傾き方向、水平状態を示しているが、３個以上の発光部を使って同様に表示することも可能である。
【００２３】
次に、本発明による撮像装置（カメラ）の第２実施形態について説明する。
カメラを撮影する場合にカメラを９０度傾けて撮影する縦撮りのケースがあるが、その場合には単純には発光部を横に並べた位置するだけでは縦撮りの傾きを表現できない。もちろん、発光部を沢山増やせば表現可能であるがカメラの小型化、軽量化の妨げになり、消費電流の増大につながり好もしいものといえない。そこで、この第２実施形態では、画像表示部の角部に発光部を配置するようにしている。
図１０は、本発明による撮像装置（カメラ）の第２実施形態を前から見た斜視図であり、図１１は、本発明による撮像装置（カメラ）の第２実施形態を後ろから見た斜視図である。
図１０に示すように、カメラ本体１の前面には、撮影画像を取り込む為のレンズ部２および撮影画像を光学的に確認する為のファインダ窓４が設けられ、カメラのアクセサリーを取り付ける為のアクセサリーシュ３がカメラ上部に配置されている。
【００２４】
また、図１１に示すように、カメラ本体１の後面には、撮影画像及び再生画像を確認する為の画像表示部６が設けられ、画像表示部６下側の右の角部に発光部１７、左の角部に発光部１８が配置されており、さらに画像表示部６上側の片側、本実施形態では左側の角部に発光部１９が配置されている。
ここで、発光部の配置として、発光部１７と発光部１８を画像表示部６の上面に配置することも可能である。また、発光部１９は画像表示部６の左右どちらに配置することも可能である。
このように、画像表示部の角部に発光部を配置するようにしているので、縦撮りの傾きを確実に表現することができる。
【００２５】
図１２は、図１０に示したカメラの主に電気的構成を示すブロック図である。
図１２に示すように、このカメラの動作は、マイコンを備えた制御回路３１によって制御され、制御回路３１の制御により、画像表示部６に動画あるいは静止画が表示され、メモリカードＭに静止画が記録される。  レンズ部２（図１参照）の後方にはＣＣＤ（撮像素子）３２が設けられており、レンズ部２から取り込まれた光はＣＣＤ３２の受光面に照射され、これにより、ＣＣＤ３２には、レンズ部２によって得られた画像が形成され、この画像に対応した撮像信号が発生する。
また、ＣＣＤ３２は、ＣＣＤ駆動回路３３によって動作し、ＣＣＤ３２から読み出された撮像信号は、相関二重サンプリング回路３４によってリセット雑音を除去され、ＡＤ変換器３５においてデジタルの画像データに変換される。ＡＤ変換器３５とＣＣＤ駆動回路３３の動作は、制御回路３１の制御に基づいてタイミングジェネレータ３６から出力されるパルス信号に従って制御される。
【００２６】
そして、ＡＤ変換器３５よりの画像データは信号処理回路３７において所定の画像処理を施され、フィールドメモリ３８に一時的に格納される。そして、格納された画像データはフィールドメモリ３８から読み出され、ＤＡ変換器３９においてアナログの画像信号に変換される。ここで、フィールドメモリ３８への格納動作およびフィールドメモリ３８からの読出動作は、タイミングジェネレータ３６から出力されるパルス信号に従って、フィールドメモリコントローラ４０によって制御され、ＤＡ変換器３９の動作は、タイミングジェネレータ３６から出力されるパルス信号に基づいて制御される。
そして、ＤＡ変換器３９よりのアナログの画像信号はビデオエンコーダ４１においてビデオフォーマットに変更され、ビデオ端子４２を介して、外部に設けられたモニタ装置（図示せず）に出力される。また画像信号はＬＣＤ駆動回路４３に入力され、ＬＣＤ駆動回路４３が画像信号に従って動作することにより、画像表示部６では動画が表示される。  
一方、ＡＤ変換器３５から読み出された画像データは、記録モード時には、バッファメモリ４４に一時的に格納される。バッファメモリ４４への格納動作およびバッファメモリ４４からの読出動作は、タイミングジェネレータ３６から出力されるパルス信号に従って、バッファメモリコントローラ４５によって制御される。
【００２７】
バッファメモリ４４から読み出された画像データは、制御回路３１において圧縮され、圧縮画像デ−タ（静止画）としてメモリカードＭに記録される。メモリカードＭはカード装着部４６に着脱自在に取り付けられる。メモリカードＭへの記録動作およびメモリカードＭからの読出動作は、制御回路３１から出力される指令信号に従って、メモリカードコントローラ４７によって制御される。
メモリカードから読み出された圧縮画像データは、制御回路３１において伸張され、これにより圧縮前の画像データが復元される。伸張された画像データは信号処理回路３７において所定の画像処理を施され、フィールドメモリ３８に一時的に格納される。画像データはフィールドメモリ３８から読み出され、ＤＡ変換器３９においてアナログの画像信号に変換された後、ビデオエンコーダ４１およびビデオ端子４２を介して、モニタ装置に出力される。また画像信号はＬＣＤ駆動回路４３に入力される。すなわち、メモリカードＭに記録された静止画は、モニタ装置あるいは画像表示部６によって表示可能である。
【００２８】
また、画像表示部６の裏側にはバックライト５１が設けられている。バックライト５１は、制御回路３１によって制御されるバックライト駆動回路５２により、点灯あるいは消灯される。
そして、制御回路３１には傾斜センサ５３が接続されている。傾斜センサ５３は従来公知の構成を有し、カメラ本体１の姿勢をどの程度傾斜しているかを検出する。すなわち、傾斜センサ５３は、カメラ本体１の姿勢がどの程度傾いているかを制御回路に出力している。
その傾斜の傾き信号により、ある一定の値を閾値として、カメラが傾いていると判断して発光部１７、発光部１８、発光部１９が点灯あるいは点滅する。
また、制御回路３１には、メインスイッチ１２、レリーズ半押しスイッチ１６ａ、レリーズ全押しスイッチ１６ｂ、モードスイッチ２０、アップスイッチ１８、ダウンスイッチ１９、および消去スイッチ２１が接続されている。
レリーズ半押しスイッチ１６ａはレリーズボタン１６を半押しすることによってオン状態になり、レリーズ全押しスイッチ１６ｂはレリーズボタン１６を全押しすることによってオン状態になる。
さらに、制御回路３１には、電源部５５が接続されている。電源部５５はメインスイッチ１２がオン状態のとき、カメラ本体１内の各電気回路に電力を供給する。
【００２９】
次に、図１３〜図１６を参照して、カメラの傾き報知動作について説明する。
図１３は、図１に示したカメラを右側上がり傾き状態において後ろから見た説明図である。
ここでは、カメラ本体１の右側上がり傾いている状態であり、撮影画像は右下がりの画像になっている。この場合、傾斜センサ５３は、カメラ本体１の姿勢をどの程度右側上がりに傾斜しているかを検出し、カメラ本体１の姿勢がどの程度傾いているかを制御回路３１に出力し、制御回路３１は、その傾斜の傾き信号により、ある一定の値を閾値として、カメラが右側上がりに傾いていると判断して発光部１７だけを点灯する。
それにより、発光部１７だけが発光してカメラが右上がりであることを操作者に警告表示を出す。この時、操作者が水平状態である撮影画像を撮影したい場合には、傾きの警告に従い、カメラの右側を下げて撮影する事になる。
なお、本実施例以外にも、カメラが傾いている時には発光部１７、発光部１８が赤色に光って、カメラが水平状態になっている場合には発光部１７、発光部１８が緑色に光って操作ＯＫの表示をしても良い。
また、本実施例及び他の実施例も含めて、状態表示の発光パターンが逆であっても問題無い。例えば、カメラ本体１が右側上がりに傾いている状態であり、撮影画像は右下がりの画像になったときに発光部１８が点灯し、撮影画像は左下がりの画像になったときに発光部１７が点灯するようにしてもなんら問題無い。
【００３０】
図１４は、図１に示したカメラを右側上がり傾き状態において後ろから見た説明図である。
ここでは、カメラ本体１の左側上がり傾いている状態であり、撮影画像は左下がりの画像になっている。この場合、傾斜センサ５３は、カメラ本体１の姿勢をどの程度左側上がりに傾斜しているかを検出し、カメラ本体１の姿勢がどの程度傾いているかを制御回路３１に出力し、制御回路３１は、その傾斜の傾き信号により、ある一定の値を閾値として、カメラが左側上がりに傾いていると判断して発光部１８だけを点灯する。
ここでは、発光部１８だけが発光してカメラが左上がりであることを操作者に警告表示を出しているので、この時、操作者が水平状態な撮影画像を撮影したい場合には、傾きの警告に従い、カメラの左側を下に下げて撮影する事になる。
【００３１】
図１５は、図１に示したカメラを水平状態において後ろから見た説明図である。
ここでは、カメラ本体１は水平状態であり、撮影画像は水平の画像になっている。この場合、傾斜センサ５３は、カメラ本体１の姿勢をどの程度傾斜しているかを検出し、カメラ本体１の傾きを制御回路３１に出力し、制御回路３１は、その傾斜の傾き信号により、ある一定の値を閾値として、カメラが水平状態と判断して発光部１７、１８の両方を点灯する。
この時に、発光部１７、発光部１８の両方が発光してカメラが水平状態であることを操作者に表示している。操作者が望めば、この状態で水平状態の画像を撮影することができる。
なお、本実施例以外にも、カメラ本体１が水平の状態である時に、発光部１７、発光部１８の両方が消灯したり、発光色が変わる表示にしてもなんら問題はない。
【００３２】
図１６は、図１に示したカメラを縦撮りで左上がり状態において後ろから見た説明図である。
ここでは、カメラ本体１は縦撮りで左上がり状態であり、撮影画像は縦撮りで左下がりの画像になっている。この場合、傾斜センサ５３は、カメラ本体１の姿勢を縦撮りでどの程度傾斜しているかを検出し、カメラ本体１の傾きを制御回路３１に出力し、制御回路３１は、その傾斜の傾き信号により、ある一定の値を閾値として、カメラが縦撮りで左上がり状態と判断して発光部１９が点灯又は点滅して、カメラが縦撮りで左上がりであることを操作者に警告表示を出している。この時、操作者が水平状態な撮影画像を撮影したい場合には、傾きの警告に従い、カメラの左側を下に下げて撮影する事になる。
本実施例以外にも、カメラが傾いている時には、発光部１８か発光部１９が赤色に光る。カメラが水平状態になっている場合には発光部１８、発光部１９が緑色に光って操作ＯＫの表示を行なう発光色の違いで操作者に知らせる方式でも良い。
また、本実施例及び他の実施例も含めて、状態表示の発光パターンが逆であっても問題無い。例えば、カメラ本体１の右側上がり傾いている状態で、撮影画像は右下がりの画像になったときに左発光部１８が点灯又は点滅する。また、逆に、撮影画像が左下がりの画像になったときに右発光部１７が点灯するようにしても問題無い。
また、本実施形態は３個の発光部を使用して、傾きの有無、傾き方向、水平状態を示しているが、３個以上の発光部を使って同様に表示することも可能である。
【００３３】
次に、図１７〜図２０を参照して、図１０に示した撮像装置の変形例について説明する。この変形例は、画像表示部６上側の片側、本変形例では左側の角部に発光部２０、２１が略４５度の斜めに配置されている。
すなわち、図１７は、図１０に示したカメラの変形例を左側上がり傾き状態において後ろから見た説明図である。
ここでは、カメラ本体１の左側上がり傾いている状態であり、撮影画像は左下がりの画像になっている。この時に、発光部２１が発光してカメラが左上がりであることを操作者に警告表示を出す。この時、操作者が水平状態な撮影画像を撮影したい場合には、傾きの警告に従い、カメラの左側を下に下げて撮影する事になる。
【００３４】
図１８は、図１０に示したカメラの変形例を右側上がり傾き状態において後ろから見た説明図である。
ここでは、カメラ本体１の右側上がり傾いている状態であり、撮影画像は右下がりの画像になっている。この時に、発光部２０が発光してカメラが右上がりであることを操作者に警告表示を出す。この時、操作者が水平状態な撮影画像を撮影したい場合には、傾きの警告に従い、カメラの左側を下に下げて撮影する事になる。
図１９は、図１０に示したカメラの変形例を水平状態において後ろから見た説明図である。
ここでは、カメラ本体１が水平の状態であり、撮影画像は水平の画像になっている。この時に、発光部２０と発光部２１が同時に発光又は点滅してカメラが水平状態であることを操作者に知らせる。操作者が望めば、この状態で水平状態の画像を撮影することができる。
なお、本変形例以外にも、カメラ本体１が水平の状態である時に、発光部２０と発光部２１の全てが消灯したり、発光色が変わる動作にしてもなんら問題はない。
【００３５】
図２０は、図１０に示したカメラの変形例を縦撮りで左上がり状態において後ろから見た説明図である。
ここでは、カメラ本体１の縦撮りで左側上がり傾いている状態であり、撮影画像は縦撮りで左下がりの画像になっている。この時に、発光部２０が点灯又は点滅して、カメラが縦撮りで左上がりであることを操作者に警告表示を出す。この時、操作者が水平状態な撮影画像を撮影したい場合には、傾きの警告に従い、カメラの左側を下に下げて撮影する事になる。
本変形例以外にも、カメラが傾いている時には、発光部２０と発光部２１が赤色に光る。カメラが水平状態になっている場合には発光部２０と発光部２１が緑色に光って操作ＯＫの表示を行なう発光色の違いで操作者に知らせる方式でも良い。
また、本変形例及び他の実施例も含めて、状態表示の発光パターンが逆であっても問題無い。例えば、カメラ本体１の右側上がり傾いている状態で、撮影画像は右下がりの画像になったときに発光部２０が点灯又は点滅する。また逆に、カメラ本体１の左側上がり傾いている状態で、撮影画像が左下がりの画像になったときに発光部２１が点灯するようにしても問題無い。
【００３６】
次に、さらに他の変形例について説明する。
図２１は、図１０に示したカメラのさらに他の変形例を水平状態において後ろから見た説明図である。
このさらに他の変形例は、図１８に示した変形例における、発光部２０と発光部２１との間に、カメラが水平状態であることを操作者に知らせるための発光部２２を設けた構成となっている。
ここでは、カメラ本体１が水平の状態であり、撮影画像は水平の画像になっている。この時に、発光部２２が発光又は点滅してカメラが水平状態であることを操作者に知らせている。操作者が望めば、この状態で水平状態の画像を撮影することができる。
なお、本変形例以外にも、カメラ本体１が水平の状態である時に、発光部２０、発光部２１と発光部２２、の全てが消灯したり、発光色が変わる動作にしてもなんら問題はない。
【図面の簡単な説明】
【００３７】
【図１】本発明による撮像装置（カメラ）の一実施形態を前から見た斜視図である。
【図２】本発明による撮像装置（カメラ）の一実施形態を後ろから見た斜視図である。
【図３】図１に示したカメラの主に電気的構成を示すブロック図である。
【図４】図１に示したカメラを右側上がり傾き状態において後ろから見た説明図である。
【図５】図１に示したカメラを左側上がり傾き状態において後ろから見た説明図である。
【図６】図１に示したカメラを水平状態において後ろから見た説明図である。
【図７】図１に示したカメラの変形例を右側上がり傾き状態において後ろから見た説明図である。
【図８】図１に示したカメラの変形例を左側上がり傾き状態において後ろから見た説明図である。
【図９】図１に示したカメラの変形例を水平状態において後ろから見た説明図である。
【図１０】本発明による撮像装置（カメラ）の第２実施形態を前から見た斜視図である。
【図１１】本発明による撮像装置（カメラ）の第２実施形態を後ろから見た斜視図である。
【図１２】図１０に示したカメラの主に電気的構成を示すブロック図である。
【図１３】図１に示したカメラを右側上がり傾き状態において後ろから見た説明図である。
【図１４】図１に示したカメラを右側上がり傾き状態において後ろから見た説明図である。
【図１５】図１に示したカメラを水平状態において後ろから見た説明図である。
【図１６】図１に示したカメラを縦撮りで左上がり状態において後ろから見た説明図である。
【図１７】図１０に示したカメラの変形例を左側上がり傾き状態において後ろから見た説明図である。
【図１８】図１０に示したカメラの変形例を右側上がり傾き状態において後ろから見た説明図である。
【図１９】図１０に示したカメラの変形例を水平状態において後ろから見た説明図である。
【図２０】図１０に示したカメラの変形例を縦撮りで左上がり状態において後ろから見た説明図である。
【図２１】図１０に示したカメラのさらに他の変形例を水平状態において後ろから見た説明図である。
【符号の説明】
【００３８】
１…カメラ本体、２…レンズ部、３…アクセサリーシュ、４…ファインダ窓、５…ファインダ接眼窓、６…画像表示部、７…右発光部、８…左発光部、９…中央発光部、１２…メインスイッチ、１５ａ〜ｄ…カメラ姿勢表示部、１６…レリーズボタン、１７…右発光部、１８…左発光部、１９…発光部、２０…発光部、２１…発光部、２２…発光部、３１…制御回路、３２…ＣＣＤ、３３…ＣＣＤ駆動回路、３４…相関二重サンプリング回路、３５…ＡＤ変換器、３６…タイミングジェネレータ、３７…信号処理回路、３８…フィールドメモリ、３９…ＤＡ変換器、４０…フィールドメモリコントローラ、４１…ビデオエンコーダ、４２…ビデオ端子、４３…ＬＣＤ駆動回路、４４…バッファメモリ、４５…バッファメモリコントローラ、４６…カード装着部、４７…メモリカードコントローラ、５１…バックライト、５２…バックライト駆動回路、５３…傾斜センサ、５４…カメラ姿勢表示部、５５…電源部
【図１】
2009071691.tif 000003
【図２】
2009071691.tif 000004
【図３】
2009071691.tif 000005
【図４】
2009071691.tif 000006
【図５】
2009071691.tif 000007
【図６】
2009071691.tif 000008
【図７】
2009071691.tif 000009
【図８】
2009071691.tif 000010
【図９】
2009071691.tif 000011
【図１０】
2009071691.tif 000012
【図１１】
2009071691.tif 000013
【図１２】
2009071691.tif 000014
【図１３】
2009071691.tif 000015
【図１４】
2009071691.tif 000016
【図１５】
2009071691.tif 000017
【図１６】
2009071691.tif 000018
【図１７】
2009071691.tif 000019
【図１８】
2009071691.tif 000020
【図１９】
2009071691.tif 000021
【図２０】
2009071691.tif 000022
【図２１】
2009071691.tif 000023